(57)【特許請求の範囲】
【請求項１】
クライアント・サーバシステムにおけるサーバに備えられる概念検索装置であって、
辞書作成用文書群から辞書機能をなすステムベクトルを作成するステムベクトル作成手段と、
前記ステムベクトルおよび検索対象文書群から検索対象文書ベクトル群を作成する検索対象文書ベクトル作成手段と、
クライアントから所定出力数を入力される所定出力数入力手段と、
クライアントから入力された検索用文章と前記ステムベクトルとから検索用文章ベクトルを作成する検索用文章ベクトル作成手段と、
その検索用文章ベクトルと前記検索対象文書ベクトル群とのベクトル演算値を演算するベクトル演算手段と、
演算されたベクトル演算値の順に検索対象文書群をソートして、クライアントの出力手段へソート結果を出力するソート手段と、を備え、
前記の検索対象文書群は、特許情報文献群とするとともに特許情報文献群における各々の特許出願文献の所定部分とし、
前記のソート手段は、前記の所定出力数入力手段にて所定出力数として予め入力されたデータ件数の検索対象文書群をクライアントの出力手段へ出力するとともに、  出力される検索対象文書群のうち、最高スコアおよび最低スコアをクライアントの出力手段へ出力することとした概念検索装置。
【請求項２】
クライアントから通常検索のためのキーワードまたは分類等を入力された場合に、キーワード検索または分類検索等の通常検索を行って、その検索結果をクライアントの出力手段へ出力させるための通常検索手段を備え、
その通常検索手段は、ソート結果に対してクライアントから通常検索のためのキーワードまたは分類等を入力された場合に、通常検索を行うこととした請求項１に記載の概念検索装置。
【請求項３】
前記の通常検索手段は、検索結果の書誌的事項を一覧表示させる一覧表示機能と、
当該一覧表示の中からクライアントが選択した検索対象文書を呼び出して、その検索対象文書の一部または全部を、クライアントの出力手段へ出力させるためのリンク機能と、を備え、
通常検索手段のリンク機能は、検索対象文書の一部または全部を、コピーアンドペースト可能であるようにクライアントの出力手段へ出力することとした請求項２に記載の概念検索装置。
【請求項４】
前記の通常検索手段は、検索結果の書誌的事項を一覧表示させる一覧表示機能と、
当該一覧表示の中からクライアントが選択した検索対象文書の一部または全部を、検索用文章とすることが可能なリンク機能と、を備えた請求項２に記載の概念検索装置。
【請求項５】
前記の検索対象文書ベクトル作成手段が作成した検索対象文書ベクトル群の中から所定の検索対象文書ベクトル群を抽出するベクトル群抽出手段を備え、  そのベクトル群抽出手段は、通常検索手段の検索結果を用いて検索対象文書ベクトル群を抽出することとした請求項２または請求項４のいずれに記載の概念検索装置。
【請求項６】
前記の検索対象文書ベクトル作成手段は、通常検索手段の検索結果に対応する検索対象文書群を用いて検索対象文書ベクトル群を作成することとした請求項２から請求項５のいずれかに記載の概念検索装置。
【請求項７】
前記のベクトル演算手段によって演算されたベクトル演算値における所定値以上のソート結果を記憶するソート結果記憶手段を備え、
前記の通常検索手段は、前記のソート結果記憶手段に記憶された所定ベクトル演算値以上の検索対象文書群を用いて通常検索を行うこととした請求項２から請求項６のいずれかに記載の概念検索装置。
【請求項８】
予め所定の検索用文章を入力して登録しておく検索用文章蓄積手段を備え、
前記のベクトル演算手段は、検索対象文書群が更新または追加されたら、その検索用文章蓄積手段に登録された検索用文章を用いてベクトル演算値を演算することとし、
前記のソート手段は、更新または追加された検索対象文書群についてソート出力するとともに所定スコアとして予めクライアントから入力されたスコアデータを上回る検索対象文書群をクライアントの出力手段へ出力することとした請求項２から請求項７のいずれかに記載の概念検索装置。
【請求項９】
予め所定の検索用文章を入力し、その検索用文章を用いて作成した検索用文章ベクトルを登録しておく検索用文章ベクトル蓄積手段を備え、
前記のベクトル演算手段は、検索対象文書群が更新または追加されたら、その検索用文章ベクトル蓄積手段に登録された検索用文章ベクトルを用いてベクトル演算値を演算することとし、
ソート手段は、更新または追加された検索対象文書群についてソート出力するするとともに所定スコアとして予めクライアントから入力されたスコアデータを上回る検索対象文書群をクライアントの出力手段へ出力することとした請求項２から請求項８のいずれかに記載の概念検索装置。
【請求項１０】
予め入力する検索用文章を複数入力するとともに、
前記のソート手段は、それら検索用文章に対応させてソート結果を出力させることとした請求項８または請求項９のいずれかに記載の概念検索装置。
【請求項１１】
前記のソート手段による出力に基づいて作成した新たな検索用文章を再入力するための再入力手段をクライアントへ提供し、
前記の検索用文章ベクトル作成手段は、再入力された検索用文章を用いて新たな検索用文章ベクトルを作成し、
前記のベクトル演算手段は、その新たな検索用文章ベクトルを用いて新たなベクトル演算値を演算し、
前記のソート手段は、その新たなベクトル演算値に基づいてソートすることとした請求項１から請求項１０のいずれかに記載の概念検索装置。
【請求項１２】
前記のステムベクトル作成手段は、複数の辞書作成用文書群から当該数のステムベクトルを作成し、
前記のベクトル演算手段は、検索対象文書群をステムベクトルごとにベクトル演算値を演算し、
前記のソート手段は、各検索対象文書群を、最も高いベクトル演算値のステムベクトルへ振り分けてソート結果を出力させることとした請求項１から請求項１１のいずれかに記載の概念検索装置。
【請求項１３】
前記の検索対象文書群は、所定母集団の検索対象文書群とし、
前記の検索対象文書群は、特許情報文献群における各々の特許出願文献の所定部分とし、
前記の検索用文章ベクトル作成手段は、前記検索対象文書群に対して複数の検索用文章による複数の検索用文章ベクトルを作成し、
前記のソート手段は、前記検索用文章ベクトルに基づく複数の座標軸に対するベクトル演算値をプロットしてクライアントの出力手段へ出力するとともに、  所定のプロットにおける検索対象文書群の書誌的事項の一部を、クライアントの出力手段へ出力可能とした請求項１から請求項１２のいずれかに記載の概念検索装置。
【請求項１４】
プログラムを記録したコンピュータ読み取り可能な記録媒体であって、
そのプログラムは、特許情報文献群からなる辞書作成用文書群から辞書機能をなすステムベクトルを作成するステムベクトル作成手順と、
前記ステムベクトルおよび特許情報文献群からなる検索対象文書群から検索対象文書ベクトル群を作成する検索対象文書ベクトル作成手順と、
クライアントから所定出力数を入力される所定出力数入力手順と、
クライアントから入力された検索用文章と前記ステムベクトルとから検索用文章ベクトルを作成する検索用文章ベクトル作成手順と、
その検索用文章ベクトルと前記検索対象文書ベクトル群とのベクトル演算値を演算するベクトル演算手順と、
演算されたベクトル演算値の順に検索対象文書群をソートして、クライアントの出力手段へソート結果を出力するソート手順と、
クライアントから通常検索のためのキーワードまたは分類を入力された場合に、キーワード検索または分類検索を行って、その検索結果をクライアントの出力手段へ出力させるための通常検索手順と、
をコンピュータに実行させるためのプログラムとし、
前記の検索対象文書群は、特許情報文献群における各々の特許出願文献の所定部分とし、
前記のソート手順においては、所定出力数として予め入力されたデータ件数の検索対象文書群をクライアントの出力手段へ出力するとともに、  出力される検索対象文書群のうち、最高スコアおよび最低スコアをクライアントの出力手段へ出力することとしたコンピュータ読み取り可能な記録媒体。
【請求項１５】
プログラムを記録したコンピュータ読み取り可能な記録媒体であって、
そのプログラムは、特許情報文献群からなる辞書作成用文書群から辞書機能をなすステムベクトルを作成するステムベクトル作成手順と、
前記ステムベクトルおよび特許情報文献群からなる検索対象文書群から検索対象文書ベクトル群を作成する検索対象文書ベクトル作成手順と、
クライアントから所定出力数を入力される所定出力数入力手順と、
クライアントから入力された検索用文章と前記ステムベクトルとから検索用文章ベクトルを作成する検索用文章ベクトル作成手順と、
その検索用文章ベクトルと前記検索対象文書ベクトル群とのベクトル演算値を演算するベクトル演算手順と、
演算されたベクトル演算値の順に検索対象文書群をソートして、クライアントの出力手段へソート結果を出力するソート手順と、
そのソート手順による出力に基づいて作成した新たな検索用文章を再入力するための再入力手段をクライアントへ提供する再入力提供手順と、をコンピュータに実行させるためのプログラムとし、
前記の検索対象文書群は、特許情報文献群における各々の特許出願文献の所定部分とし、
前記のソート手順においては、所定出力数として予め入力されたデータ件数の検索対象文書群をクライアントの出力手段へ出力するとともに、  出力される検索対象文書群のうち、最高スコアおよび最低スコアをクライアントの出力手段へ出力することとし、
前記の検索用文章ベクトル作成手順は、再入力された検索用文章を用いて新たな検索用文章ベクトルを作成し、
前記のベクトル演算手順においては、その新たな検索用文章ベクトルを用いて新たなベクトル演算値を演算し、
前記のソート手順においては、その新たなベクトル演算値に基づいてソートすることとしたコンピュータ読み取り可能な記録媒体。
【発明の詳細な説明】
【０００１】
【発明が属する技術分野】
この発明は、技術文献、特許文献についての検索システムに対して、概念検索を応用したものである。
【０００２】
【先行技術】
（従来の文書検索技術）
予め検索対象文書からキーワードを切り出し、インデックスファイルを作成する。そしてそのインデックスファイルと、検索のために入力されたキーワードとのマッチングによってヒットした文書をピックアップする方法が一般に用いられている。
【０００３】
この技術では、該当するキーワードが存在する文書がヒットするため、検索が終了するまではヒット件数を把握できない。そのため、期待していたヒット件数よりも少ないヒット数しか得られない場合には、検索キーワードの再検討が必要となる。一方、期待していたヒット件数よりも多いヒット数を得てしまった場合にも、いわゆる絞り込みと呼ばれる検索キーワードの再検討が必要となる。
【０００４】
（概念検索技術）
近年、ベクトル演算を用いた検索技術（概念検索技術）が誕生した。この技術は、予め辞書作成用の文種から形態素解析などによって単語を切り出し、各単語に基本となるベクトルを付与して、辞書機能をなすベクトル群（ステムベクトル）を生成する。そのステムベクトルをもとにして、検索対象文書全体のベクトルを決定し、検索対象文書群から検索対象文書ベクトル群を生成する。その結果、検索対象文書は、各々一文書あたり一つのベクトルを持つこととなる。検索を実行する際には、検索のために入力した文章をステムベクトルに基づいて検索文章ベクトルを生成し、その検索文章ベクトルと前記検索対象文書ベクトル群との内積を演算し、内積値の高い検索対象文書から所定件数を出力させる。
【０００５】
この技術によれば、検索対象文書群から関連度の高い文書から順に所定件数を必ず出力させることが可能となり、キーワード検索による欠点を克服できる。
【０００６】
（調査結果）
なお、本出願人は、特許出願、実用新案登録出願を調査し、関連技術として次の技術を抽出した。
その関連技術たる特開２０００−２０５２０号は、「言語解析認識処理の方法等」に関するものである。そしてその技術は、操作者が自由に入力した自然語、入力文に対して柔軟に適応する機能を備えて作動することを特徴とする。そのほか、特願平９−２１９２９９号、特願平１１−４５２３号などを抽出した。
【０００７】
【発明が解決しようとする課題】
先行技術としての概念検索では、検索対象文書に含まれる単語にてヒットするようにするため、ステムベクトルを生成する際に、検索対象となる検索対象文書自身を用いていた。そのため、検索対象文書が追加されると、ステムベクトルに歪みが生じることとなる。この歪みを補正するためには、検索対象文書が更新または追加されるたびにステムベクトルを再生成する必要がある。このため、検索対象文書が更新または追加が頻繁に行われる動的な文書群の検索には採用されてこなかった。
【０００８】
また、検索対象文書の数が多かったり、一文書当たりの単語数が多かったりする場合には、検索対象文書ベクトルの生成には、ハードウェアへの負荷が大きく、時間が掛かっていた。ところで、一文書当たりの単語数が多い場合、その中の特定範囲について、他の範囲よりも価値を高める工夫がされる場合が多い。具体的には、学術論文における抄録（サマリー）、特許情報における要約書や特許請求の範囲などである。
【０００９】
本発明が解決すべき課題は、更新または追加が頻繁に行われる動的な検索対象文書群であって、且つ一文書当たりの単語数が多い検索対象文書に対し、概念検索を達成するための技術を提供することにある。
ここで、請求項１から請求項１３に記載の発明の目的は、更新または追加が頻繁に行われる動的な検索対象文書群であって、且つ一文書当たりの単語数が多い検索対象文書に対して概念検索を行える装置を提供することである。
【００１０】
また、請求項１４から請求項１５に記載の発明の目的は、更新または追加が頻繁に行われる動的な検索対象文書群であって、且つ一文書当たりの単語数が多い検索対象文書に対して概念検索を行えるコンピュータプログラムを提供することである。
【００１１】
【課題を解決するための手段】
本発明は、上記した目的を達成するためのものである。
（請求項１）
請求項１記載の発明は、クライアント・サーバシステムにおけるサーバに備えられる装置に係る。
すなわち、  辞書作成用文書群から辞書機能をなすステムベクトルを作成するステムベクトル作成手段と、  前記ステムベクトルおよび検索対象文書群から検索対象文書ベクトル群を作成する検索対象文書ベクトル作成手段と、  クライアントから所定出力数を入力される所定出力数入力手段と、  クライアントから入力された検索用文章と前記ステムベクトルとから検索用文章ベクトルを作成する検索用文章ベクトル作成手段と、  その検索用文章ベクトルと前記検索対象文書ベクトル群とのベクトル演算値を演算するベクトル演算手段と、  演算されたベクトル演算値の順に検索対象文書群をソートして、クライアントの出力手段へソート結果を出力するソート手段と、を備える。
そして、前記の検索対象文書群は、特許情報文献群とするとともに特許情報文献群における各々の特許出願文献の所定部分とし、  前記のソート手段は、前記の所定出力数入力手段にて所定出力数として予め入力されたデータ件数の検索対象文書群をクライアントの出力手段へ出力するとともに、  出力される検索対象文書群のうち、最高スコアおよび最低スコアをクライアントの出力手段へ出力することとした概念検索装置に係る。
【００１２】
（用語説明）
「クライアント・サーバシステム」は、LANで接続されたもののほか、イントラネット上のクライアント・サーバシステム、クライアントがサーバ運営者と契約してインターネットなどのネットワークにて接続された場合を含む。「ベクトル」とは、多次元のベクトルをいい、数次元から数百次元である。あまり少ないと精度が下がり、あまり多いと演算負担が大きいので、精度および演算負担に鑑みて、次元数を決定する。後述する実施形態では「２８０次元」とした。
「ベクトル演算値」とは、代表的には、検索対象文書ベクトルと検索用文章ベクトルとの内積値をいうが、各種の係数を掛けたり、外積としたりする他の計算手法を採用する場合もある。「辞書作成用文書群および検索対象文書群」としては、特許情報文献の他、新聞記事、学術書などを用いる。
「特許情報文献」とは、特許出願された公開公報、特許された特許公報、以前の特許法の下で出願公告された公告公報、実用新案登録出願に係る文献、特許出願を審査するために用いられる公開技報、技術論文などをいう。
「所定出力数」とは、クライアントの操作者が入力したり、サーバがクライアントへ選択してもらうような入力手段を提供したりして予め決定することをいう。なお、ソート手段による出力後に再入力することができるようにしてもよい。
【００１３】
（作用）
まず、ステムベクトル作成手段が辞書作成用文書群から辞書機能をなすステムベクトルを作成し、検索対象文書ベクトル作成手段が前記ステムベクトルおよび検索対象文書群から検索対象文書ベクトル群を作成する。続いて、検索用文章ベクトル作成手段が、クライアントから入力された検索用文章と前記ステムベクトルとから検索用文章ベクトルを作成し、ベクトル演算手段がその検索用文章ベクトルと前記検索対象文書ベクトル群とのベクトル演算値を演算する。そして、ソート手段が演算されたベクトル演算値の順に検索対象文書群を並べたソート結果をクライアントの出力手段へ出力する。
辞書作成用文書群および検索対象文書群の少なくとも一方は、特許情報文献群としているので、特許文献検索に適している。また、更新または追加が頻繁に行われる動的な検索対象文書群であって、且つ一文書当たりの単語数が多い検索対象文書に対し、概念検索を達成できる。更に、辞書作成用文書群について検索対象文書群とは異なる種類の文献とすると、質の異なった概念検索が行える。
検索対象文書群を、特許情報文献群における各々の特許出願文献の所定部分としたので、検索対象文書ベクトルの作成、ベクトル演算値の演算などが短時間で行える。
概念検索には、「ヒット件数」ということがないが、所定出力数を入力してあれば、その数の検索対象文書群をクライアントの出力手段へ出力することができる。
最高スコアおよび最低スコアがクライアントの出力手段へ出力されるので、概念検索の検証、検索用文章についての再検討などが行える。
【００１４】
前記の辞書作成用文書群は、その辞書作成用文書群の中から選ばれた数の辞書作成用文書群とした概念検索装置を提供することもできる。
【００１５】
（用語説明）
「辞書作成用文書群の中から選ばれた数の辞書作成用文書群」とは、例えば、隔年毎に区切られた１０年分の文書群の中の５年分の文書群である。
【００１６】
（用語説明）
「辞書作成用文書群がなす群の中の一部分」とは、ある数の辞書作成用文書群の中から選ばれた数の辞書作成用文書群の意である。例えば、隔年毎に区切られた１０年分の文書群の中の５年分の文書群である。
【００１７】
（作用）
辞書作成用文書群を、辞書作成用文書群がなす群の中の一部分としているので、ステムベクトルの作成が短時間で行える。
【００１８】
（用語説明）
「辞書作成用文書群における各々の辞書作成用文書の所定部分」とは、例えば、辞書作成用文書群が技術論文である場合に技術論文におけるサマリー、辞書作成用文書群が特許出願書類である場合における特許請求の範囲、要約書、請求項１、発明の詳細な説明、など、あるいはそれらの組み合わせである。
【００１９】
（削除）
【００２０】
「特許情報文献群における各々の特許出願文献の所定部分」とは、例えば、特許請求の範囲、要約書、請求項１、発明の詳細な説明のいずれか、あるいはそれらの組み合わせなどである。
【００２１】
請求項１は、以下のようなバリエーションを提供することもできる。
すなわち、前記のソート手段は、所定スコアとして予めクライアントから入力されたスコアデータを上回る検索対象文書群をクライアントの出力手段へ出力することとした概念検索装置に係る。
【００２２】
「所定スコア」とは、クライアントの操作者が入力したり、サーバがクライアントへ選択してもらうような入力手段を提供したりして予め決定することをいう。ベクトル演算値が内積値である場合には、完全一致スコアが１．００であるので、それよりも低い値を入力することとなる。なお、ソート手段による出力後に再入力することができるようにしてもよい。
【００２３】
概念検索には、「ヒット件数」ということがないが、所定スコアを入力してあれば、そのスコアデータを上回る検索対象文書群をクライアントの出力手段へ出力することができる。所定スコアとして例えば「０．６」を予め入力しておくと、０．６を上回る検索対象文書群が高スコア順にソートされて出力されることとなる。
【００２４】
（削除）
【００２５】
（削除）
【００２６】
なお、前述の「所定スコア」と組み合わせ、例えば、「５０件までで且つ所定スコア＝０．７以上」というように決定することができるようにしてもよい。
【００２７】
（削除）
【００２８】
（請求項２）
請求項２に記載の発明は、請求項１に記載の概念検索装置を限定したものであり、
クライアントから通常検索のためのキーワードまたは分類等を入力された場合に、キーワード検索または分類検索等の通常検索を行って、その検索結果をクライアントの出力手段へ出力させるための通常検索手段を備え、  その通常検索手段は、ソート結果に対してクライアントから通常検索のためのキーワードまたは分類等を入力された場合に、通常検索を行うこととした概念検索装置に係る。
【００２９】
（用語説明）
「通常検索」とは、予め定められた分類を指定したり、検索対象文書において使用されているキーワードなどについてヒットしている文書を検索するものである。論理式（and、×、or、＋など）を採用することができるようにしている場合が一般的である。
【００３０】
（作用）
通常検索手段は、クライアントから通常検索のためのキーワードまたは分類を入力された場合に通常検索を行う。そして、その通常検索結果を更なる概念検索に用いたり、概念検索の後に通常検索を行ったりすることができる。
また、概念検索のソート結果に対して、通常検索を行わせることができる。従って、欲する情報を入手しやすくなる。
【００３１】
（請求項３）
請求項３に記載の発明は、請求項２に記載の概念検索装置を限定したものであり、
通常検索手段は、検索結果の書誌的事項を一覧表示させる一覧表示機能と、  当該一覧表示の中からクライアントが選択した検索対象文書を呼び出して、その検索対象文書の一部または全部を、クライアントの出力手段へ出力させるためのリンク機能とを備える。
また、通常検索手段のリンク機能は、検索対象文書の一部または全部を、コピーアンドペースト可能であるようにクライアントの出力手段へ出力することとした概念検索装置である。
【００３２】
（用語説明）
「書誌的事項」とは、各検索対象文書におけるインデックス的な情報であって、例えば、技術論文におけるタイトルや筆者名、特許情報書類における発明の名称や出願公開番号などである。「一覧表示機能」とは、複数の書誌的事項を表にして出力させる機能をいう。
【００３３】
（作用）
通常検索手段の一覧表示機能が検索結果の書誌的事項を一覧表示させる。次いで、リンク機能が、クライアントが一覧表示から選択した検索対象文書を呼び出して、その検索対象文書の一部または全部を、クライアントの出力手段へ出力させる。ここにおいて、欲しい情報か否かの判断を素早く行うことができる。
また、リンク機能を用いて出力させた検索対象文書の一部または全部は、コピーアンドペースト可能である。したがって、続けて検索、特に概念検索を行う場合などにおいて、検索用文章を考えたり、タイプしたりするという入力の手間が軽減できる。
【００３４】
（削除）
【００３５】
（削除）
【００３６】
（請求項４）
請求項４記載の発明は、請求項２に記載の概念検索装置を限定したものである。
通常検索手段は、検索結果の書誌的事項を一覧表示させる一覧表示機能と、当該一覧表示の中からクライアントが選択した検索対象文書の一部または全部を、検索用文章とすることが可能なリンク機能とを備えた概念検索装置に係る。
【００３７】
（作用）
通常検索手段による検索結果は、一覧表示機能によって書誌的事項が一覧表示される。その中から検索対象文書の一部または全部をクライアントが選択すると、リンク機能が選択された検索対象文書の一部または全部を検索用文章として採択し、ベクトル演算手段によってベクトル演算値を演算する。ここにおいて、クライアントユーザは、検索用文章を入力する手間が要らないというメリットがある。
また、ベクトル群抽出手段が、検索対象文書ベクトル作成手段の作成した検索対象文書ベクトル群の中から所定の検索対象文書ベクトル群を抽出する。そして、そのベクトル群抽出手段は、通常検索手段の検索結果を用いて検索対象文書ベクトル群を抽出する。このようにすると、すべての検索対象ベクトル群を用いてベクトル演算する場合に比べて、ベクトル演算の数を絞ることができ、演算が短時間で行える。
【００３８】
（請求項５）
請求項５に記載の発明は、請求項２または請求項４のいずれに記載の概念検索装置を限定したものであり、
前記の検索対象文書ベクトル作成手段が作成した検索対象文書ベクトル群の中から所定の検索対象文書ベクトル群を抽出するベクトル群抽出手段を備え、  そのベクトル群抽出手段は、通常検索手段の検索結果を用いて検索対象文書ベクトル群を抽出することとしたものである。
【００３９】
（作用）
ベクトル群抽出手段が、検索対象文書ベクトル作成手段の作成した検索対象文書ベクトル群の中から所定の検索対象文書ベクトル群を抽出する。そして、そのベクトル群抽出手段は、通常検索手段の検索結果を用いて検索対象文書ベクトル群を抽出する。
このようにすると、すべての検索対象ベクトル群を用いてベクトル演算する場合に比べて、ベクトル演算の数を絞ることができ、演算が短時間で行える。
【００４０】
なお、前記の通常検索手段は、ソート手段に対して検索結果を用いたソート結果を出力させることとしてもよい。
その場合、通常検索手段が検索した検索結果は、ソート手段がソート結果を出力する際に用いる。通常検索にいう「ヒット数」は概念検索には存在しないが、ソート出力の際に通常検索の検索結果、すなわちヒット数を用いることができる。
【００４１】
（請求項６）
請求項６記載の発明は、請求項２から請求項５のいずれかに記載の概念検索装置を限定したものであり、
検索対象文書ベクトル作成手段は、通常検索手段の検索結果に対応する検索対象文書群を用いて検索対象文書ベクトル群を作成することとした概念検索装置に係る。
【００４２】
（作用）
通常検索手段が検索した結果は、全検索対象文書群を絞り込むのに用いる。そこで絞り込まれた検索対象群を用いて、検索対象文書ベクトルが作成され、ベクトル演算され、ソート結果が出力される。このため、全検索対象文書群を用いる場合に比べてベクトル演算の数を絞ることができ、演算が短時間で行える。
【００４３】
（請求項７）
請求項７記載の発明は、請求項２から請求項６のいずれかに記載の概念検索装置を限定したものであり、
ベクトル演算手段によって演算されたベクトル演算値における所定値以上のソート結果を記憶するソート結果記憶手段を備え、  通常検索手段は、ソート結果記憶手段に記憶された所定ベクトル演算値以上の検索対象文書群を用いて通常検索を行うこととした概念検索装置に係る。
【００４４】
（作用）
ソート記憶手段が、ベクトル演算手段によって演算されたベクトル演算値における所定値以上のソート結果を記憶する。そして、通常検索手段は、ソート結果記憶手段に記憶された所定ベクトル演算値以上の検索対象文書群を用いてキーワード検索または分類検索を行う。これにより、概念検索による絞り込み結果に対して、キーワード検索または分類検索が行える。
【００４５】
なお、ソート手段は、ソート結果の書誌的事項を一覧表示させる一覧表示機能と、  当該書誌的事項の中からクライアントが選択した検索対象文書を呼び出して、その検索対象文書の一部または全部を、クライアントの出力手段へ出力させるためのリンク機能とを備えた概念検索装置を提供することとしてもよい。
【００４６】
そのような概念検索装置の場合、概念検索のソート結果として、一覧表示機能によって書誌的事項が一覧表示される。次いで、リンク機能が、クライアントが一覧表示から選択した検索対象文書を呼び出して、その検索対象文書の一部または全部を、クライアントの出力手段へ出力させる。ここにおいて、欲しい情報か否かの判断を素早く行うことができる。
【００４７】
（請求項８）
請求項８記載の発明は、請求項２から請求項７のいずれかに記載の概念検索装置を限定したものである。
すなわち、予め所定の検索用文章を入力して登録しておく検索用文章蓄積手段を備え、  前記のベクトル演算手段は、検索対象文書群が更新または追加されたら、その検索用文章蓄積手段に登録された検索用文章を用いてベクトル演算値を演算することとする。  ソート手段は、更新または追加された検索対象文書群についてソート出力するとともに、所定スコアとして予めクライアントから入力されたスコアデータを上回る検索対象文書群をクライアントの出力手段へ出力することとした概念検索装置に係る。
【００４８】
（作用）
クライアントユーザは、必要であれば、所定の検索用文章を入力し、サーバの検索用文章蓄積手段へ登録しておく。検索対象文書群が更新または追加されたら、ベクトル演算手段は、その検索用文章蓄積手段に登録された検索用文章を用いてベクトル演算値を演算する。そして、ソート手段が更新または追加された検索対象文書群についてソート出力する。予め登録した検索用文章に対するベクトル演算値が演算され、出力されるので、いわゆるＳＤＩサービスを実現できることとなる。
【００４９】
（請求項９）
請求項９記載の発明は、請求項２から請求項８のいずれかに記載の概念検索装置を限定したものである。
すなわち、予め所定の検索用文章を入力し、その検索用文章を用いて作成した検索用文章ベクトルを登録しておく検索用文章ベクトル蓄積手段を備え、  前記のベクトル演算手段は、検索対象文書群が更新または追加されたら、その検索用文章ベクトル蓄積手段に登録された検索用文章ベクトルを用いてベクトル演算値を演算する。
ソート手段は、更新または追加された検索対象文書群についてソート出力するするとともに、所定スコアとして予めクライアントから入力されたスコアデータを上回る検索対象文書群をクライアントの出力手段へ出力することとした概念検索装置に係る。
【００５０】
（作用）
クライアントユーザは、必要であれば、所定の検索用文章を入力する。すると、検索用文章ベクトル作成手段が検索用文章ベクトルを作成し、検索用文章ベクトル蓄積手段へ登録する。検索対象文書群が更新または追加されたら、ベクトル演算手段は、その検索用文章蓄積手段に登録された検索用文章を用いてベクトル演算値を演算する。そして、ソート手段が更新または追加された検索対象文書群についてソート出力する。所定の検索用文章に対する検索用文章ベクトルが予め作成されているので、ベクトル演算が早く行えるという利点がある。
【００５１】
（請求項１０）
請求項１０記載の発明は、請求項８または請求項９のいずれかに記載の概念検索装置を限定したものであり、  予め入力する検索用文章を複数入力するとともに、  ソート手段は、それら検索用文章に対応させてソート結果を出力させることとした概念検索装置に係る。
【００５２】
（作用）
クライアントユーザは、所定の検索用文章を複数入力する。ベクトル演算手段は、それら複数の検索用文章を用いてベクトル演算値をそれぞれ演算する。そして、ソート手段は、それら検索用文章に対応させてソート結果を出力させる。例えば、複数の研究テーマを抱える一人の研究者に対して、研究テーマごとに検索用文章を入力しておく。すると、その検索用文章ごとにソート結果を得られる。
【００５３】
（請求項１１）
請求項１１記載の発明は、請求項１から請求項１０のいずれかに記載の概念検索装置を限定したものである。
すなわち、前記のソート手段による出力に基づいて作成した新たな検索用文章を再入力するための再入力手段をクライアントへ提供し、  前記の検索用文章ベクトル作成手段は、再入力された検索用文章を用いて新たな検索用文章ベクトルを作成し、  前記のベクトル演算手段は、その新たな検索用文章ベクトルを用いて新たなベクトル演算値を演算し、  前記のソート手段は、その新たなベクトル演算値に基づいてソートすることとした概念検索装置に係る。
【００５４】
（作用）
サーバは、ソート手段による出力後、そのソート出力に基づいて作成した新たな検索用文章を再入力するための再入力手段をクライアントへ提供し、クライアントユーザは、新たな検索用文章を入力する。その新たな検索用文章によって新たな検索用文章ベクトルを作成し、ベクトル演算手段は、新たなベクトル演算値を演算し、ソート手段が新たなベクトル演算値に基づくソートを行う。
【００５５】
請求項１１に記載の発明は、以下のように形成することもできる。
すなわち、ソート手段は、ソート結果の書誌的事項を一覧表示させる一覧表示機能と、 当該書誌的事項の中からクライアントが選択した検索対象文書を呼び出して、その検索対象文書の一部または全部を、クライアントの出力手段へ出力させるためのリンク機能とを備えるとともに、 前記リンク機能は、検索対象文書の一部または全部を、コピーアンドペースト可能であるようにクライアントへ出力することとした概念検索装置としてもよい。
【００５６】
そのような概念検索装置の場合、ソート手段の一覧表示機能によってソート結果の書誌的事項を一覧表示される。そして、リンク機能を用いて出力させた検索対象文書の一部または全部は、コピーアンドペースト可能である。したがって、続けて概念検索を行う場合などにおいて、検索用文章を考えたり、タイプしたりするという入力の手間が軽減できる。
【００５７】
請求項１１に記載の発明は、以下のように形成することもできる。
すなわち、ソート手段は、ソート結果の書誌的事項を一覧表示させる一覧表示機能を備え、再入力手段は、前記一覧表示の中から検索対象文書の一部または全部を、検索用文章として選択可能することで入力を代行するリンク機能を備えた概念検索装置に係る。
【００５８】
そのような概念検索装置の場合、ソート結果は、ソート手段の一覧表示機能によって書誌的事項が一覧表示される。その中から検索対象文書の一部または全部をクライアントが選択すると、リンク機能が選択された検索対象文書の一部または全部を検索用文章として採択し、ベクトル演算手段によってベクトル演算値を演算する。ここにおいて、クライアントユーザは、検索用文章を入力する手間が要らないというメリットがある。
【００５９】
（請求項１２）
請求項１２記載の発明は、請求項１から請求項１１のいずれかに記載の概念検索装置を限定したものである。
すなわち、前記のステムベクトル作成手段は、複数の辞書作成用文書群から当該数のステムベクトルを作成し、  前記のベクトル演算手段は、検索対象文書群をステムベクトルごとにベクトル演算値を演算し、  前記のソート手段は、各検索対象文書群を、最も高いベクトル演算値のステムベクトルへ振り分けてソート結果を出力させることとした概念検索装置に係る。
【００６０】
（用語説明）
複数のステムベクトルは、例えば、特許情報文献において技術分野ごとに作成したり、複数の発行時期に対して所定期間ごと、具体的には、１９９９年の１年間、１９９０年代の１０年間、といった期間ごとに作成する。または、辞書作成用文書群の分類ごと、具体的には、特許公報、公開公報、実用新案登録公報ごとに作成する。
【００６１】
（作用）
ステムベクトル作成手段は、複数の辞書作成用文書群、例えば年度ごと、文書種類ごとに当該数のステムベクトルを作成する。そして、ベクトル演算手段が、検索対象文書群をステムベクトルごとにベクトル演算値を演算し、ソート手段が、各検索対象文書群を、最も高いベクトル演算値のステムベクトルへ振り分けてソート結果を出力する。検索対象文書群は、複数のステムベクトルごとに設けられたカテゴリーのいずれかひとつに振り分けられることとなる。ここにおいて、辞書作成用文書群ごとにソート結果を得ることができる。複数のステムベクトルを時代ごとに作成した場合、ソート手段がそれら複数のステムベクトルに対応させてソート結果を出力させることとしているので、時代ごとに推移する言葉、キーワード、用語などに細かく対応した概念検索が可能となる。
【００６２】
請求項１２に記載の発明は、以下のように形成することもできる。
すなわち、検索対象文書ベクトル作成手段は、検索対象文書群における所定部分ごとに検索対象文書ベクトル群を作成し、  ベクトル演算手段は、その検索対象文書ベクトル群を用いてベクトル演算値を演算し、  ソート手段は、所定部分ごとにベクトル演算値をクライアントの出力手段へ出力することとした概念検索装置としてもよい。
【００６３】
そのような概念検索装置の場合、まず、検索対象文書ベクトル作成手段が、検索対象文書群における所定部分ごとに検索対象文書ベクトル群を作成する。そして、ベクトル演算手段が、その検索対象文書ベクトル群を用いてベクトル演算値を演算し、ソート手段が、所定部分ごとにベクトル演算値をクライアントの出力手段へ出力する。ここにおいて、検索対象文書群における所定部分ごとにソート結果を得ることができる。
【００６４】
（請求項１３）
請求項１３記載の発明は、一般にパテントマップと呼ばれている出力方式にて直接出力する概念検索装置であり、請求項１から請求項１２のいずれかに記載の概念検索装置を限定したものである。
すなわち、前記の検索対象文書群は、所定母集団の検索対象文書群とし、  前記の検索用文章ベクトル作成手段は、前記検索対象文書群に対して複数の検索用文章による複数の検索用文章ベクトルを作成し、  前記のソート手段は、前記検索用文章ベクトルに基づく複数の座標軸に対するベクトル演算値をプロットしてクライアントの出力手段へ出力するとともに、  所定のプロットにおける検索対象文書群の書誌的事項の一部を、クライアントの出力手段へ出力可能とした概念検索装置に係る。
【００６５】
（作用）
まず、検索対象文書群が所定母集団へ、何らかの手段によって絞られる。そして、検索用文章ベクトル作成手段が、前記検索対象文書群に対して複数の検索用文章による複数の検索用文章ベクトルを作成する。そして、ソート手段が、前記検索用文章ベクトルに基づく複数の座標軸に対するベクトル演算値をプロットしてクライアントの出力手段へ出力する。
プロットされている検索対象文書群の書誌的事項の一部がクライアントの出力手段へ出力できるので、使いやすい。
【００６６】
（削除）
【００６７】
請求項１に対応させた方法発明を提供することもできる。
すなわち、辞書作成用文書群から辞書機能をなすステムベクトルを作成するステムベクトル作成手順と、 前記ステムベクトルおよび検索対象文書群から検索対象文書ベクトル群を作成する検索対象文書ベクトル作成手順と、 クライアントから入力された検索用文章と前記ステムベクトルとから検索用文章ベクトルを作成する検索用文章ベクトル作成手順と、 その検索用文章ベクトルと前記検索対象文書ベクトル群とのベクトル演算値を演算するベクトル演算手順と、 演算されたベクトル演算値の順に検索対象文書群をソートして、クライアントへソート結果を出力するソート手順とを備え、 辞書作成用文書群および検索対象文書群の少なくとも一方は、特許情報文献群とした概念検索方法である。
【００６８】
前述の概念検索方法は、クライアントから通常検索のためのキーワードまたは分類を入力された場合に、キーワード検索または分類による通常検索を行って、その検索結果をクライアントへ出力させるための通常検索手順とを備えた概念検索方法としてもよい。
【００６９】
前述の概念検索方法は、以下のように形成しても良い。すなわち、通常検索手順には、検索結果の書誌的事項を一覧表示させる一覧表示手順と、 当該書誌的事項の中からクライアントが選択した検索対象文書を呼び出して、その検索対象文書の一部または全部を、クライアントへ出力させるためのリンク手順と含むこととした概念検索方法である。
【００７０】
前述の概念検索方法は、以下のように形成しても良い。すなわち、辞書作成用文書群から辞書機能をなすステムベクトルを作成するステムベクトル作成手順と、  前記ステムベクトルおよび検索対象文書群から検索対象文書ベクトル群を作成する検索対象文書ベクトル作成手順と、  クライアントから通常検索のためのキーワードまたは分類を入力された場合に、キーワード検索または分類による通常検索を行って、その検索結果の書誌的事項をクライアントへ一覧表示させる通常検索一覧表示手順と、  当該書誌的事項の中からクライアントが選択した検索対象文書の一部又は全部を、検索用文章とし、その検索用文章と前記ステムベクトルとから検索用文章ベクトルを作成する検索用文章ベクトル作成手順と、  その検索用文章ベクトルと前記検索対象文書ベクトル群とのベクトル演算値を演算するベクトル演算手順と、  演算されたベクトル演算値の順に検索対象文書群をソートして、クライアントへソート結果を出力するソート手順とを備え、  辞書作成用文書群および検索対象文書群の少なくとも一方は、特許情報文献群とした概念検索方法である。
【００７１】
前述の概念検索方法は、以下のように形成しても良い。すなわち、ベクトル演算手順によって演算されたベクトル演算値における所定値以上のソート結果を記憶するソート結果記憶手順を備え、  通常検索手順においては、ソート結果記憶手順において記憶された所定ベクトル演算値以上の検索対象文書群を用いてキーワード検索または分類検索を行うこととした概念検索方法である。
【００７２】
前述の概念検索方法は、以下のように形成しても良い。すなわち、ソート手順においては、書誌的事項を一覧表示するとともに、  当該書誌的事項に対応する検索対象文書の一部又は全部を出力させることが可能であるように検索対象文書群とのリンク機能を備えた概念検索方法である。
【００７３】
前述の概念検索方法は、以下のように形成しても良い。すなわち、予め所定の検索用文章を入力して登録しておく検索用文章蓄積手順を備え、  ベクトル演算手順においては、検索対象文書群が更新または追加されたら、その検索用文章蓄積手段によって登録された検索用文章を用いてベクトル演算値を演算することとし、  ソート手順においては、更新または追加された検索対象文書群についてソート出力することとした概念検索方法である。
【００７４】
前述の概念検索方法は、以下のように形成しても良い。すなわち、予め所定の検索用文章を入力し、その検索用文章を用いて作成した検索用文章ベクトルを登録しておく検索用文章ベクトル蓄積手順を備え、  ベクトル演算手順においては、検索対象文書群が更新または追加されたら、その検索用文章ベクトル蓄積手順によって登録された検索用文章ベクトルを用いてベクトル演算値を演算することとし、  ソート手順においては、更新または追加された検索対象文書群についてソート出力することとした概念検索方法である。
【００７５】
前述の概念検索方法は、以下のように形成しても良い。すなわち、ソート手順による出力に基づいて作成した新たな検索用文章を再入力するための再入力手段をクライアントへ提供する再入力提供手順を備え、  検索用文章ベクトル作成手順は、再入力された検索用文章を用いて新たな検索用文章ベクトルを作成し、  ベクトル演算手順においては、その新たな検索用文章ベクトルを用いて新たなベクトル演算値を演算し、  ソート手順においては、その新たなベクトル演算値に基づいてソートすることとした概念検索方法である。
【００７６】
前述の概念検索方法は、以下のように形成しても良い。すなわち、ソート手順は、ソート結果の書誌的事項を一覧表示させる一覧表示手順と、 当該書誌的事項の中からクライアントが選択した検索対象文書を呼び出して、その検索対象文書の一部または全部を、クライアントへ出力させるためのリンク手順とを備えるとともに、 前記リンク手順は、検索対象文書の一部または全部を、コピーアンドペースト可能であるようにクライアントへ出力することとした概念検索方法である。
【００７７】
前述の概念検索方法は、以下のように形成しても良い。すなわち、ソート結果の書誌的事項を一覧表示させる一覧表示手順と、 当該書誌的事項の中からクライアントが選択した検索対象文書の一部又は全部を、検索対象文章として再入力する検索用文章再入力手順とを備え、  検索用文章ベクトル作成手順は、再入力された検索用文章を用いて新たな検索用文章ベクトルを作成し、  ベクトル演算手順においては、その新たな検索用文章ベクトルを用いて新たなベクトル演算値を演算し、  ソート手順においては、その新たなベクトル演算値に基づいてソートすることとした概念検索方法である。
【００７８】
前述の概念検索方法は、以下のように形成しても良い。すなわち、ステムベクトル作成手順において、複数のステムベクトルを作成し、ベクトル演算手順においては、検索対象文書群をステムベクトルごとにベクトル演算値を演算し、 ソート手順においては、各検索対象文書群を、最も高いベクトル演算値のステムベクトルへ振り分けてソート結果を出力させることとした概念検索方法である。
【００７９】
前述の概念検索方法は、以下のように形成しても良い。すなわち、検索対象文書ベクトル作成手順においては、検索対象文書群における所定部分ごとに検索対象文書ベクトル群を作成し、 ベクトル演算手順においては、その検索対象文書ベクトル群を用いてベクトル演算値を演算し、 ソート手順においては、所定部分ごとにベクトル演算値をクライアントへ出力することとした概念検索方法である。
【００８０】
前述の概念検索方法は、以下のように形成しても良い。すなわち、検索対象文書群は、所定母集団の検索対象文書群とし、 検索用文章ベクトル作成手順においては、前記検索対象文書群に対して複数の検索用文章による複数の検索用文章ベクトルを作成し、 ソート手順においては、前記検索用文章ベクトルに基づく複数の座標軸に対するベクトル演算値をプロットしてクライアントへ出力することとした概念検索方法である。
【００８１】
なお、プログラムを記録したコンピュータ読み取り可能な記録媒体を提供することもできる。そして、そのプログラムは、辞書作成用文書群から辞書機能をなすステムベクトルを作成するステムベクトル作成手順と、 前記ステムベクトルおよび検索対象文書群から検索対象文書ベクトル群を作成する検索対象文書ベクトル作成手順と、 クライアントから入力された検索用文章と前記ステムベクトルとから検索用文章ベクトルを作成する検索用文章ベクトル作成手順と、 その検索用文章ベクトルと前記検索対象文書ベクトル群とのベクトル演算値を演算するベクトル演算手順と、 演算されたベクトル演算値の順に検索対象文書群をソートして、クライアントへソート結果を出力するソート手順とを備え、辞書作成用文書群および検索対象文書群の少なくとも一方は、特許情報文献群としたプログラムとする。
ここで、「記録媒体」とは、それ自身では空間を占有し得ないプログラムを担持することができる媒体であり、例えば、フロッピー（登録商標）ディスク、ハードディスク、ＣＤ−ＲＯＭ、ＭＯ（光磁気ディスク）、ＤＶＤ−ＲＯＭ、ＰＤなどである。
【００８２】
（請求項１４）
請求項１４に記載の発明は、プログラムを記録したコンピュータ読み取り可能な記録媒体に係る。
そして、そのプログラムは、特許情報文献群からなる辞書作成用文書群から辞書機能をなすステムベクトルを作成するステムベクトル作成手順と、  前記ステムベクトルおよび特許情報文献群からなる検索対象文書群から検索対象文書ベクトル群を作成する検索対象文書ベクトル作成手順と、  クライアントから所定出力数を入力される所定出力数入力手順と、  クライアントから入力された検索用文章と前記ステムベクトルとから検索用文章ベクトルを作成する検索用文章ベクトル作成手順と、  その検索用文章ベクトルと前記検索対象文書ベクトル群とのベクトル演算値を演算するベクトル演算手順と、  演算されたベクトル演算値の順に検索対象文書群をソートして、クライアントの出力手段へソート結果を出力するソート手順と、  クライアントから通常検索のためのキーワードまたは分類を入力された場合に、キーワード検索または分類検索を行って、その検索結果をクライアントの出力手段へ出力させるための通常検索手順と、コンピュータに実行させるためのプログラムとする。
そして、前記の検索対象文書群は、特許情報文献群における各々の特許出願文献の所定部分とし、  前記のソート手順においては、所定出力数として予め入力されたデータ件数の検索対象文書群をクライアントの出力手段へ出力するとともに、  出力される検索対象文書群のうち、最高スコアおよび最低スコアをクライアントの出力手段へ出力することとする。
【００８３】
（請求項１５）
請求項１５に記載の発明もまた、プログラムを記録したコンピュータ読み取り可能な記録媒体に係る。
そして、そのプログラムは、特許情報文献群からなる辞書作成用文書群から辞書機能をなすステムベクトルを作成するステムベクトル作成手順と、  前記ステムベクトルおよび特許情報文献群からなる検索対象文書群から検索対象文書ベクトル群を作成する検索対象文書ベクトル作成手順と、  クライアントから所定出力数を入力される所定出力数入力手順と、  クライアントから入力された検索用文章と前記ステムベクトルとから検索用文章ベクトルを作成する検索用文章ベクトル作成手順と、  その検索用文章ベクトルと前記検索対象文書ベクトル群とのベクトル演算値を演算するベクトル演算手順と、  演算されたベクトル演算値の順に検索対象文書群をソートして、クライアントの出力手段へソート結果を出力するソート手順と、  そのソート手順による出力に基づいて作成した新たな検索用文章を再入力するための再入力手段をクライアントへ提供する再入力提供手順と、をコンピュータに実行させるためのプログラムである。
前記の検索対象文書群は、特許情報文献群における各々の特許出願文献の所定部分とし、  前記のソート手順においては、所定出力数として予め入力されたデータ件数の検索対象文書群をクライアントの出力手段へ出力するとともに、  出力される検索対象文書群のうち、最高スコアおよび最低スコアをクライアントの出力手段へ出力することとする。
また、前記の検索用文章ベクトル作成手順は、再入力された検索用文章を用いて新たな検索用文章ベクトルを作成し、  前記のベクトル演算手順においては、その新たな検索用文章ベクトルを用いて新たなベクトル演算値を演算し、  前記のソート手順においては、その新たなベクトル演算値に基づいてソートすることとしたプログラムとする。
【００８４】
前述のコンピュータプログラムは、以下のようにしても良い。
すなわち、特許情報文献群から辞書機能をなすステムベクトルを作成するステムベクトル作成手順と、  前記ステムベクトルおよび特許情報文献群から検索対象文書ベクトル群を作成する検索対象文書ベクトル作成手順と、  クライアントから入力された検索用文章と前記ステムベクトルとから検索用文章ベクトルを作成する検索用文章ベクトル作成手順と、  その検索用文章ベクトルと前記検索対象文書ベクトル群とのベクトル演算値を演算するベクトル演算手順と、  演算されたベクトル演算値の順に検索対象文書群をソートして、クライアントへソート結果を出力するソート手順とを備えたコンピュータプログラムである。
【００８５】
【発明の実施の形態】
以下、本発明を実施の形態及び図面に基づいて、更に詳しく説明する。ここで使用する図面は、図１乃至図１９である。なお、図１から図１５は、本発明の実施形態を示す概念図であり、図１６乃至図１９は、本発明の実施形態における画面出力の主要部を示したものである。
【００８６】
（図１）
図１は、本発明の第一の実施形態を示す概念図であり、クライアント・サーバシステムにおけるサーバに備えられる装置である。クライアントユーザは、サーバを運営する事業主体との契約に基づいて、会員ＩＤおよびパスワードの提供を受け、インターネットにて接続して、サーバが提供するサービスを利用する。
【００８７】
サーバには、辞書作成用文書群から辞書機能をなすステムベクトルを作成するステムベクトル作成手段と、前記ステムベクトルおよび検索対象文書群から検索対象文書ベクトル群を作成する検索対象文書ベクトル作成手段と、クライアントから入力された検索用文章と前記ステムベクトルとから検索用文章ベクトルを作成する検索用文章ベクトル作成手段と、その検索用文章ベクトルと前記検索対象文書ベクトル群とのベクトル演算値を演算するベクトル演算手段と、演算されたベクトル演算値の順に検索対象文書群をソートして、クライアントへソート結果を出力するソート手段とを備えている。
【００８８】
また、ソート手段によってクライアントの出力手段へ出力されるベクトル演算値の範囲を予め設定する「設定ベクトル演算値」を記憶する設定値記憶手段を備えている。この設定値については、図１６において再度説明する。ここで、辞書作成用文書群および検索対象文書群とも、特許情報文献群としている。ここにいう「特許情報文献」とは、特許出願された公開公報、特許された特許公報、以前の特許法の下で出願公告された公告公報、実用新案登録出願に係る文献、特許出願を審査するために用いられる公開技報、技術論文などを含んでいる。
【００８９】
「ベクトル」としては、精度と演算負担とを考慮して「２８０次元」とした。また、ベクトル演算としては、「内積」を演算することとした。クライアントユーザは、サーバと契約し、インターネットにて接続可能なクライアントである。クライアントユーザは、サーバから別途付与されたＩＤとパスワードとを用いてサーバが提供する上記概念検索システムへアクセスする。
【００９０】
（第一の実施形態の作用）
まず、ステムベクトル作成手段が辞書作成用文書群から辞書機能をなすステムベクトルを作成し、検索対象文書ベクトル作成手段が前記ステムベクトルおよび検索対象文書群から検索対象文書ベクトル群を作成する。続いて、検索用文章ベクトル作成手段が、クライアントから入力された検索用文章と前記ステムベクトルとから検索用文章ベクトルを作成し、ベクトル演算手段がその検索用文章ベクトルと前記検索対象文書ベクトル群とのベクトル演算値を演算する。また、所定ベクトル演算値の設定手段にて設定した設定値をサーバへ送る。そして、ソート手段が演算されたベクトル演算値の順に、設定値の数だけ検索対象文書群を並べたソート結果をクライアントの出力手段へ出力する。
辞書作成用文書群および検索対象文書群の少なくとも一方は、特許情報文献群としているので、特許文献検索に適している。また、更新または追加が頻繁に行われる動的な検索対象文書群であって、且つ一文書当たりの単語数が多い検索対象文書たる特許情報文献に対し、概念検索を達成できる。
【００９１】
（第一の実施形態のバリエーション）
第一のバリエーションとして、辞書作成用文書群を、辞書作成用文書群がなす群の中の一部分とすることができる。すなわち、辞書を作成するための文書群が数年分の特許公報とする場合、例えば１年分の特許公報に限ることとする。この場合、辞書作成用文書群を、辞書作成用文書群がなす群の中の一部分としているので、ステムベクトルの作成が短時間で行える。また、年々変化する技術の傾向に合致した概念検索を行えることが期待できる。
【００９２】
第二のバリエーションとして、辞書作成用文書群を、辞書作成用文書群における各々の辞書作成用文書の所定部分とすることができる。すなわち、辞書を作成するための文書群が数年分の特許公報とする場合、その特許公報における要約書の部分のみ、または特許請求の範囲のみ、あるいはそれらの組み合わせを辞書作成用文書群とするのである。このようにすれば、ステムベクトルの作成が短時間で行える。
【００９３】
第三のバリエーションとして、検索対象文書群は、特許情報文献群における各々の特許出願文献の所定部分とすることができる。すなわち、数年分の特許公報が存在する場合、検索対象文書群を、例えば、特許請求の範囲、要約書、あるいはそれらの組み合わせとするのである。その場合、検索対象文書ベクトルの作成、ベクトル演算値の演算などが短時間で行える。
【００９４】
（図２）
続いて、図２に基づいて、第二の実施形態について説明する。第一の実施形態との相違点は、クライアントから通常検索のためのキーワードまたは分類等を入力された場合に、キーワード検索または分類検索等の通常検索を行って、その検索結果をクライアントの出力手段へ出力させるための通常検索手段を備えている点である。この実施形態では、通常検索によって絞り込んだ検索結果に対して概念検索が行えるものである。
【００９５】
ここで、「通常検索」とは、予め定められた分類を指定したり、検索対象文書において使用されているキーワードなどについてヒットしている文書を検索するものである。論理式（and、×、or、＋など）を採用することができるようにしている場合が一般的である。特許情報文献の検索の場合、「出願人」、技術用語などのキーワードや「国際特許分類」といった分類記号によって絞り込みを行える。
【００９６】
（図３）
続いて、図３に基づいて、第三の実施形態について説明する。前述の実施形態との相違点は、通常検索の結果を用いて、概念検索を連続して行える点である。なお、概念検索を連続して行う場合、二度目以後の概念検索は、「類似検索」と定義する。
【００９７】
キーワード等の入力に対する常検索の結果は、クライアントに対して一覧表示として出力される。そして、その一覧表示の書誌的事項から、クライアントが類似検索のための検索用文章を指定すれば、サーバのリンク機能が検索用文章の入力を代行する。指定された検索用文章を用いて検索用文章ベクトル作成手段は、検索用文章ベクトルを作成する。そして、検索対象文書ベクトル群とのベクトル演算を行い、ソート結果をクライアントの出力手段へ出力させる。
検索用文章は、本来ならクライアントユーザが入力しなければならないが（この様子は図４に示す）、この実施形態には、その入力を簡略化するリンク機能を備えている。このリンク機能については、図１８の説明において詳述する。
【００９８】
（図４）
図４は、クライアントユーザの操作の一例を示したものである。まず、ソート結果として一覧表示出力がなされたとする。ここでは、特許情報文献の書誌的事項が一覧表示されている。この中で、「Ｄ欄」に、「要約 請求」とあるのは、それぞれが当該特許情報文献における要約書、特許請求の範囲を表しており、ポインタによってこれをクリックする。
【００９９】
すると、リンク機能によって、当該特許文献情報情報における要約書がクライアントへ画面出力する。ここで提供される画面出力は、コピーアンドペーストが可能であるように提供されている。したがって、ユーザは、出力された要約書における必要な部分を、検索用文章の入力欄へコピーアンドペーストすることができる。
なお、サーバ上において、「要約 請求」をクリックすれば、コピーアンドペーストしなくても自動的に検索用文章を入力したとして処理することにより、クライアントユーザの操作を省略するようにしてもよい。
【０１００】
（図５）
続いて、図５に基づいて、第四の実施形態について説明する。前述の実施形態との相違点は、検索対象文書ベクトル作成手段が作成した検索対象文書ベクトル群の中から所定の検索対象文書ベクトル群を抽出するベクトル群抽出手段を備え、そのベクトル群抽出手段は、通常検索手段の検索結果を用いて検索対象文書ベクトル群を抽出することとした点である。
【０１０１】
ベクトル群抽出手段が、検索対象文書ベクトル作成手段の作成した検索対象文書ベクトル群の中から所定の検索対象文書ベクトル群を抽出する。そして、そのベクトル群抽出手段は、通常検索手段の検索結果を用いて検索対象文書ベクトル群を抽出する。このようにすると、すべての検索対象ベクトル群を用いてベクトル演算する場合に比べて、ベクトル演算の数を絞ることができ、演算が短時間で行えるというメリットがある。
【０１０２】
（図６）
続いて、図６に基づいて、第五の実施形態について説明する。前述の実施形態との相違点は、通常検索手段につき、ソート手段に対して検索結果を用いたソート結果を出力させることとした点である。すなわち、通常検索手段が検索した検索結果は、ソート手段がソート結果を出力する際に用いるのである。通常検索においては一般的な「ヒット数」ということが概念検索には存在しないが、ソート出力の際に通常検索の検索結果、すなわちヒット数を用いることができる。
【０１０３】
（図７）
続いて、図７に基づいて、第六の実施形態について説明する。前述の実施形態との相違点は、検索対象文書ベクトル作成手段について、通常検索手段の検索結果に対応する検索対象文書群を用いて検索対象文書ベクトル群を作成することとした点である。すなわち、通常検索手段が検索した結果は、全検索対象文書群を絞り込むのに用いる。そこで絞り込まれた検索対象群を用いて、検索対象文書ベクトルが作成され、ベクトル演算され、ソート結果が出力される。このため、全検索対象文書群を用いる場合に比べてベクトル演算の数を絞ることができ、演算が短時間で行える。
【０１０４】
（図８）
続いて、図８に基づいて、第七の実施形態について説明する。前述の実施形態との相違点は、ベクトル演算値について設定値を入力可能としておき、ベクトル演算手段によって演算されたベクトル演算値における所定値以上のソート結果を記憶するソート結果記憶手段を備える点である。更に、通常検索手段は、ソート結果記憶手段に記憶された所定ベクトル演算値以上の検索対象文書群を用いて通常検索を行うこととしている。
【０１０５】
ソート記憶手段が、ベクトル演算手段によって演算されたベクトル演算値における所定値以上のソート結果を記憶する。そして、通常検索手段は、ソート結果記憶手段に記憶された所定ベクトル演算値以上の検索対象文書群を用いてキーワード検索または分類検索を行う。これにより、概念検索による絞り込み結果に対して、キーワード検索または分類検索が行える。
【０１０６】
（図９）
続いて、図９に基づいて、第八の実施形態について説明する。前述の実施形態との相違点は、予め所定の検索用文章を入力して登録しておく検索用文章蓄積手段を備えた点である。更に、ベクトル演算手段は、検索対象文書群が更新または追加されたら、その検索用文章蓄積手段に登録された検索用文章を用いてベクトル演算値を演算することとしており、ソート手段は、更新または追加された検索対象文書群についてソート出力することとしている。
【０１０７】
クライアントユーザは、必要であれば、所定の検索用文章を入力し、サーバの検索用文章蓄積手段へ登録しておく。例えば、自分が課題としている研究テーマに関する検索用文章である。検索対象文書群が更新または追加されたら、ベクトル演算手段は、その検索用文章蓄積手段に登録された検索用文章を用いてベクトル演算値を演算する。そして、ソート手段が更新または追加された検索対象文書群についてソート出力する。
特許情報文献は、一週間に二回程度追加されるが、クライアントユーザは、その追加された検索対象文書群についての概念検索のソート結果を受け取ることができる。予め指定した検索用文章に対し、クライアントユーザはいわゆるＳＤＩサービスを受けることできることとなる。
【０１０８】
（図１０）
続いて、図１０に基づいて、第九の実施形態について説明する。前述の実施形態との相違点は、予め所定の検索用文章を入力し、その検索用文章を用いて作成した検索用文章ベクトルを登録しておく検索用文章ベクトル蓄積手段を備えた点である。そして、ベクトル演算手段は、検索対象文書群が更新または追加されたら、その検索用文章ベクトル蓄積手段に登録された検索用文章ベクトルを用いてベクトル演算値を演算することとし、ソート手段は、更新または追加された検索対象文書群についてクライアントへソート出力することとしている。
【０１０９】
クライアントユーザは、必要であれば、所定の検索用文章を入力する。すると、検索用文章ベクトル作成手段が検索用文章ベクトルを作成し、検索用文章ベクトル蓄積手段へ登録する。検索対象文書群が更新または追加されたら、ベクトル演算手段は、その検索用文章蓄積手段に登録された検索用文章を用いてベクトル演算値を演算する。そして、ソート手段が更新または追加された検索対象文書群についてソート出力する。所定の検索用文章に対する検索用文章ベクトルが予め作成されているので、ベクトル演算が早く行えるという利点がある。
【０１１０】
（図１１）
続いて、図１１に基づいて、第十の実施形態について説明する。前述の実施形態との相違点は、ソート手段による出力に基づいて作成した新たな検索用文章を再入力するための再入力手段をクライアントへ提供している点である。検索用文章ベクトル作成手段は、再入力された検索用文章を用いて新たな検索用文章ベクトルを作成し、ベクトル演算手段は、その新たな検索用文章ベクトルを用いて新たなベクトル演算値を演算し、ソート手段は、その新たなベクトル演算値に基づいてソートすることとしている。
【０１１１】
また、ソート手段は、ソート結果の書誌的事項を一覧表示させる一覧表示機能と、当該書誌的事項の中からクライアントが選択した検索対象文書を呼び出して、その検索対象文書の一部または全部を、クライアントの出力手段へ出力させるためのリンク機能とを備えるとともに、前記リンク機能は、検索対象文書の一部または全部を、コピーアンドペースト可能であるようにクライアントの出力手段へ出力することとしている。
なお、サーバ上において、クリックすれば、コピーアンドペーストしなくても自動的に検索用文章を入力したとして処理することにより、クライアントユーザの操作を省略するようにしてもよい。
【０１１２】
サーバは、検索用文章１による概念検索の出力後、そのソート出力に基づいて作成した新たな検索用文章を再入力するための再入力手段をクライアントへ提供する。クライアントユーザは、リンク機能を用いるなどして、新たな検索用文章２を入力する。サーバではその新たな検索用文章２によって新たな検索用文章ベクトルを作成し、ベクトル演算手段は、新たなベクトル演算値を演算し、ソート手段が新たなベクトル演算値に基づくソートを行う。連続的な概念検索が可能であり、検索精度を徐々に高め、欲する情報を入手しやすい環境をクライアントユーザへ提供している。
【０１１３】
（図１２）
続いて、図１２に基づいて、第十一の実施形態について説明する。前述の実施形態との相違点は、ステムベクトル作成手段において、三群の辞書作成用文書群（Ａ，Ｂ，Ｃ）から三つのステムベクトル（Ａ，Ｂ，Ｃ）を作成することとした点である。また、ベクトル演算手段は、検索対象文書群をステムベクトルごとにベクトル演算値（Ａ，Ｂ，Ｃ）を演算し、ソート手段は、各検索対象文書群を、最も高いベクトル演算値のステムベクトルへ振り分けてソート結果（Ａ，Ｂ，Ｃ）を出力させることとしている。
【０１１４】
複数のステムベクトルは、例えば、技術分野ごと、または複数の発行時期に対して所定期間ごと、具体的には、１９９９年の１年間、１９９０年代の１０年間、といった期間ごとに作成する。または、辞書作成用文書群の分類ごと、具体的には、特許公報、公開公報、実用新案登録公報ごとに作成することとしてもよい。
【０１１５】
ステムベクトル作成手段は、複数の辞書作成用文書群、例えば年度ごと、文書種類ごとに当該数のステムベクトルを作成する。そして、ベクトル演算手段が、検索対象文書群をステムベクトルごとにベクトル演算値を演算し、ソート手段が、各検索対象文書群を、最も高いベクトル演算値のステムベクトルへ振り分けてソート結果を出力する。検索対象文書群は、複数のステムベクトルごとに設けられたカテゴリーのいずれかひとつに振り分けられることとなる。ここにおいて、辞書作成用文書群ごとにソート結果を得ることができる。複数のステムベクトルを時代ごとに作成した場合、ソート手段がそれら複数のステムベクトルに対応させてソート結果を出力させることとしているので、時代ごとに推移する言葉、キーワード、用語などに細かく対応した概念検索が可能となる。
【０１１６】
（図１３）
続いて、図１３に基づいて、第十二の実施形態について説明する。前述の実施形態との相違点は、検索対象文書ベクトル作成手段について、検索対象文書群における所定部分ごとに検索対象文書ベクトル群を作成することとした点である。すなわち、特許情報において請求項１、要約書という所定部分が存在するが、その所定部分ごとに「請求項１ベクトル群」、「要約書ベクトル群」といった検索対象文書ベクトルを作成するのである。そして、ベクトル演算手段は、それらの検索対象文書ベクトル群を用いてベクトル演算値を演算し、ソート手段は、所定部分ごとにベクトル演算値をクライアントの出力手段へ出力する。ここにおいて、検索対象文書群における所定部分ごとにソート結果を得ることができる。
例えば、ある検索用文章に対して、特許公開公報ａの要約書では、最高スコアとしての８０．２を得たが、請求項１では６５．５で、ランク１３位、といった結果を得ることができる。
【０１１７】
（図１４）
続いて、図１４に基づいて、パテントマップ的な出力の一例を示す概念図である。検索用文章を２種類入力し、それらによるベクトル演算値をそれぞれ縦軸と横軸に採用する。そして、２種類のベクトル演算値とも、所定スコア以上を記録した検索対象文書をプロットして出力したものである。
プロットされた点にポインタを合わせると、当該プロットに該当する文書の書誌的事項が画面出力されるようにしている。更に、図示は省略するが、クリックすれば、当該文書の全文が出力されるようにしている。
【０１１８】
（図１５）
図１５に記載した実施形態は、クライアントが入力した検索用文章が、検索用文章ベクトル作成手段に用いる言語と異なる場合に、当該言語を検索用文章ベクトル作成手段に用いる言語へ翻訳する翻訳手段を備え、 検索用文章ベクトル作成手段は、前記翻訳手段によって翻訳された翻訳検索用文章を用いて検索用文章ベクトルを作成することとした概念検索装置である。
【０１１９】
この翻訳手段は、クライアントが入力した検索用文章が、検索用文章ベクトル作成手段に用いる言語と異なる場合に、当該言語を検索用文章ベクトル作成手段に用いる言語へ翻訳する。検索用文章ベクトル作成手段は、その翻訳検索用文章を用いて検索用文章ベクトルを作成する。ここにおいて、検索用文章が他言語であっても、翻訳手段が翻訳可能な文章であれば、そのまま検索に用いることができる。
【０１２０】
なお、概念検索方法として、クライアントが入力した検索用文章が、検索用文章ベクトル作成手段に用いる言語と異なる場合に、当該言語を検索用文章ベクトル作成手段に用いる言語へ翻訳する翻訳手順を備え、 検索用文章ベクトル作成手順においては、前記翻訳手順によって翻訳された翻訳検索用文章を用いて検索用文章ベクトルを作成する概念検索方法を提供することもできる。
【０１２１】
また、コンピュータ読み取り可能なプログラムとしては、特許情報文献群からなる辞書作成用文書群から辞書機能をなすステムベクトルを作成するステムベクトル作成手順と、 前記ステムベクトルおよび特許情報文献群からなる検索対象文書群から検索対象文書ベクトル群を作成する検索対象文書ベクトル作成手順と、 クライアントから入力された検索用文章が検索用文章ベクトル作成手段に用いる言語と異なる場合に、当該言語を検索用文章ベクトル作成手段に用いる言語へ翻訳する翻訳手順と、 翻訳された検索用文章と前記ステムベクトルとから検索用文章ベクトルを作成する検索用文章ベクトル作成手順と、 その検索用文章ベクトルと前記検索対象文書ベクトル群とのベクトル演算値を演算するベクトル演算手順と、 演算されたベクトル演算値の順に検索対象文書群をソートして、クライアントに係る出力手段へソート結果を出力するソート手順とを備えたプログラムを提供することもできる。
【０１２２】
（図１６）
図１６は、概念検索を行うための検索用文章の入力画面として、サーバからクライアントへ提供される画面出力を示している。「検索項目」の右側には、プルダウン選択メニューとして、検索対象文書群の選択ボタン(10)を用意している。この検索項目とは、検索対象文書群たる特許情報書類のうちの一部分を表している。画面には、「要約」が選択された状態となっているが、特許請求の範囲、請求項１、発明の詳細な説明、あるいはそれらの組み合わせなどが選択できるようになっている。
【０１２３】
「一覧表示数」の右側には、プルダウン選択メニューとして、ソート出力数の選択ボタン(11)を用意している。この一覧表示数とは、概念検索には「ヒット数」という考え方がなく、ベクトル演算値として全ての検索対象文書群がスコア化されるので、出力表示させる数を制限するために設けたものである。図１６の画面には、「１００」が選択された状態となっているが、これは、ベクトル演算値のスコアが高い順に１００件を一覧表示させるという指示となる。
【０１２４】
図１６の中央には、文章を入力するボックスが用意されている。これは、検索用文章の入力欄(12)である。キーワードや分類、論理式などの入力と異なり、文章を入力する。検索用文章の入力を終えたら、図１６の中央下部付近にある検索開始ボタン(13)をクリックして、概念検索を開始する。
【０１２５】
（図１７）
図１７は、図１６において検索開始ボタン(13)をクリックした結果、サーバが概念検索を終え、クライアントへその結果を出力した状態である。図中の左上には、ソート出力数の表示欄(20)があり、図１６でのソート出力数の選択ボタン(11)に対応した件数たる「上位１００件」を表示している。またその右隣には、当該１００件のうちの最高スコアと最低スコアとを表示するスコア範囲表示欄(21)が出力される。ベクトル演算としては、内積を計算するのであるから、最高点は１．０００であるが、点数を見やすくするために、１００倍して表示することとしている。
【０１２６】
このスコア範囲表示欄(21)を見て、希望する結果が得られなかったと判断する場合には、図１７の下側に用意されている検索対象文書群の選択ボタン(10)、ソート出力数の選択ボタン(11)、検索用文章の入力欄(12)などに対して、再入力をして、検索開始ボタン(13)を再クリックする。一方、スコア範囲表示欄(21)を見て、希望する結果をおおむね得られたと判断した場合には、スコア範囲表示欄(21)の右隣にある一覧表示ボタン(22)をクリックする。すると、図１８のような画面出力が提供される。
【０１２７】
（図１８）
図１８の上半分には、検索用文章が再現され、どのような検索結果なのかを表示している。一方、下半分には、表示件数１００件のうちの一部が一覧表示(30)として出力されている。一覧表示(30)は、一行欄にて、１件の出願公開書類における書誌的事項を示している。一覧表示(30)における左から２番目の欄は、スコア表示欄(31)となっている。このスコア表示欄(31)の最上に表示されるスコアは、図１７におけるスコア範囲表示欄(21)のスコアと一致している。
【０１２８】
さて、欄の最右欄は、書誌的事項にて特定される出願公開書類における「要約」または「特許請求の範囲」に記載された文章を、そのまま概念検索のための検索用文章として採用する「類似検索」をさせるためのリンクボタン(33)である。このリンクボタン(33)をクリックすると、図１９に示すような出力画面が提供される。すなわち、図４に示した「コピーアンドペースト」の作業をクライアントにて行わずに済むよう、サーバが提供しているのである。
なお、文献番号の欄にもリンクボタン(32)を備えており、そのリンクボタン(32)をクリックすると、当該文献の全文を出力させることができる。
【０１２９】
（図１９）
図１９は、特許の出願公開書類における要約によって類似検索を行わせた結果の出力画面の一部を示しており、その上半分には、検索用文章として採用された文章の出所が再現されて表示している。一方、下半分には、再び表示件数１００件のうちの一部が一覧表示(30)として出力されている。
【０１３０】
この場合、一覧表示(30)における最上行の左から２番目の欄は、最高スコア表示(34)として１００．０が出力される。これは、図１８の出力画面にて選択した類似検索において、完全一致する特許出願を選択してくるのであるから、満点となって当然である。なお、図１９に示した欄の最右欄は、図１８と同じリンクボタン(32,33)が用意されており、さらなる「類似検索」が行えるようになっている。
【０１３１】
【発明の効果】
請求項１から請求項１３に記載の発明によれば、更新または追加が頻繁に行われる動的な検索対象文書群であって、且つ一文書当たりの単語数が多い検索対象文書に対して概念検索を行える装置を提供することができた。
【０１３２】
また、請求項１４および請求項１５に記載の発明によれば、更新または追加が頻繁に行われる動的な検索対象文書群であって、且つ一文書当たりの単語数が多い検索対象文書に対して概念検索を行えるコンピュータプログラムを提供することができた。
【図面の簡単な説明】
【図１】第一の実施形態を示す概念図である。
【図２】第二の実施形態を示す概念図である。
【図３】第三の実施形態を示す概念図である。
【図４】クライアントユーザの操作の一例を示す概念図である。
【図５】第四の実施形態を示す概念図である。
【図６】第五の実施形態を示す概念図である。
【図７】第六の実施形態を示す概念図である。
【図８】第七の実施形態を示す概念図である。
【図９】第八の実施形態を示す概念図である。
【図１０】第九の実施形態を示す概念図である。
【図１１】第十の実施形態を示す概念図である。
【図１２】第十一の実施形態を示す概念図である。
【図１３】第十二の実施形態を示す概念図である。
【図１４】いわゆるパテントマップ的な出力の一例を示す概念図である。
【図１５】第十三の実施形態を示す概念図である。
【図１６】概念検索を行うための検索用文章の入力画面として、サーバからクライアントへ提供される画面出力の一部を示す図である。
【図１７】図１６の次画面出力の一部を示す図である。
【図１８】概念検索のソート結果の次画面出力の一部を示す図である。
【図１９】特許の出願公開書類における要約によって類似検索を行わせた結果の出力画面の一部を示した図である。
【符号の説明】
１０  検索対象文書群の選択ボタン      １１  ソート出力数の選択ボタン
１２  検索用文章の入力欄      １３  検索開始ボタン
２０  ソート出力数の表示欄      ２１  スコア範囲表示欄
２２  一覧表示の要求ボタン
３０  一覧表示      ３１  スコア表示欄
３２  リンクボタン      ３３  リンクボタン
３４  最高スコア表示
【図１】
0004497337.tif 000002
【図２】
0004497337.tif 000003
【図３】
0004497337.tif 000004
【図４】
0004497337.tif 000005
【図５】
0004497337.tif 000006
【図６】
0004497337.tif 000007
【図７】
0004497337.tif 000008
【図８】
0004497337.tif 000009
【図９】
0004497337.tif 000010
【図１０】
0004497337.tif 000011
【図１１】
0004497337.tif 000012
【図１２】
0004497337.tif 000013
【図１３】
0004497337.tif 000014
【図１４】
0004497337.tif 000015
【図１５】
0004497337.tif 000016
【図１６】
0004497337.tif 000017
【図１７】
0004497337.tif 000018
【図１８】
0004497337.tif 000019
【図１９】
0004497337.tif 000020